(57)【要約】【課題】バッテリー装着部に対し、バッテリーが未接続の状態で接続端子への異物の付着を抑制するカバーを設けても、カバーと筐体との繋ぎ目から水などの液体が入り込み、接続端子に付着して劣化させる虞がある。【解決手段】バッテリー装着部は、バッテリーの一部が入り込む凹部と、凹部内に設けられ、バッテリーと電気的に接続可能な接続端子と、接続端子を覆う、筐体の一部を構成する覆い部と、を備えるとともに、バッテリーが未装着の状態においてバッテリー装着部における覆い部を除く領域を覆うカバーが着脱可能であり、カバーと筐体とが、凹部の深さ方向において重なる部位は、カバーと覆い部とが対向する部位から液体が浸入した際に液体が接続端子に向かう経路外に位置する。【選択図】図１３
2020138533.tif 000002
【特許請求の範囲】
【請求項１】
媒体に記録を行う記録部を内部に備える筐体と、
前記記録部による媒体への記録に必要な電力を供給するバッテリーを着脱可能な、前記筐体に設けられたバッテリー装着部と、を備え、
前記バッテリー装着部は、前記バッテリーの一部が入り込む凹部と、
前記凹部内に設けられ、前記バッテリーと電気的に接続可能な接続端子と、
前記接続端子を覆う、前記筐体の一部を構成する覆い部と、を備えるとともに、
前記バッテリーが未装着の状態において前記バッテリー装着部における前記覆い部を除く領域を覆うカバーが着脱可能であり、
前記カバーと前記筐体とが、前記凹部の深さ方向において重なる部位は、前記カバーと前記覆い部とが対向する部位から液体が浸入した際に前記液体が前記接続端子に向かう経路外に位置する、
ことを特徴とする記録装置。
【請求項２】
媒体に記録を行う記録部を内部に備える筐体と、
前記記録部による媒体への記録に必要な電力を供給するバッテリーを着脱可能な、前記筐体に設けられたバッテリー装着部と、を備え、
前記バッテリー装着部は、前記バッテリーの一部が入り込む凹部と、
前記凹部内に設けられ、前記バッテリーと電気的に接続可能な接続端子と、
前記接続端子を覆う、前記筐体の一部を構成する覆い部と、を備えるとともに、
前記バッテリーが未装着の状態において前記バッテリー装着部における前記覆い部を除く領域を覆うカバーが着脱可能であり、
前記カバーと前記筐体とは、前記カバーと前記覆い部とが対向する部位から液体が浸入した際に前記液体が前記接続端子に向かう経路で、前記凹部の深さ方向において重なる部位を有し、
前記重なる部位には、前記液体が入り込む溝部が形成されている、
ことを特徴とする記録装置。
【請求項３】
媒体に記録を行う記録部を内部に備える筐体と、
前記記録部による媒体への記録に必要な電力を供給するバッテリーを着脱可能な、前記筐体に設けられたバッテリー装着部と、を備え、
前記バッテリー装着部は、前記バッテリーの一部が入り込む凹部と、
前記凹部内に設けられ、前記バッテリーと電気的に接続可能な接続端子と、
前記接続端子を覆う、前記筐体の一部を構成する覆い部と、を備えるとともに、
前記バッテリーが未装着の状態において前記バッテリー装着部における前記覆い部を除く領域を覆うカバーが着脱可能であり、
前記カバーと前記筐体とは、前記カバーと前記覆い部とが対向する部位から液体が浸入した際に前記液体が前記接続端子に向かう経路で、前記凹部の深さ方向において重なる部位を有し、
前記重なる部位には、前記液体を吸収する液体吸収材が設けられている、
ことを特徴とする記録装置。
【請求項４】
請求項１から請求項３のいずれか一項に記載の記録装置において、前記覆い部は、前記接続端子の先端部よりも、前記接続端子の延びる方向に延設されている、
ことを特徴とする記録装置。
【請求項５】
請求項１から請求項４のいずれか一項に記載の記録装置において、前記カバーの周縁には切り欠き部が形成され、
前記切り欠き部は、前記カバーの周縁において前記覆い部と対向する部位から外れた位置に形成されている、
ことを特徴とする記録装置。
【請求項６】
請求項５に記載の記録装置において、前記カバーの裏面には、前記切り欠き部から前記凹部への異物の入り込みを規制する規制壁が設けられている、
ことを特徴とする記録装置。
【発明の詳細な説明】
【技術分野】
【０００１】
本発明は、バッテリーが着脱可能なバッテリー装着部を備えた記録装置に関する。
【背景技術】
【０００２】
記録装置の一例としてプリンターがあり、プリンターのうち特にモバイルタイプのものには、商用電源がない屋外でも使用できるように、装置本体に対してバッテリーが着脱可能に構成されたものがある（例えば、特許文献１参照）。
【先行技術文献】
【特許文献】
【０００３】
【特許文献１】特開２００４−２２９４４９号公報
【発明の概要】
【発明が解決しようとする課題】
【０００４】
バッテリーを装着する装着部は、バッテリーを接続する為の接続端子が設けられる為、バッテリーが未接続の状態で接続端子に異物が付着しない様に、カバーによって覆われることが好ましい。特に接続端子に液体が付着すると、接続端子が劣化する虞がある。  
しかしながらカバーをした状態でも、カバーと装置の筐体との繋ぎ目から水などの液体が入り込み、前記接続端子に付着して前記接続端子を劣化させる虞がある。例えば、水などの液体が付着した机に対し、カバーが設けられた面を下にしてプリンターが置かれた場合などである。  
特に、カバーと装置の筐体とが重なる部位があると、外部から液体が浸入した際の浸入経路を形成してしまうこととなる。カバーと装置の筐体とが重なる部位とは、カバーが筐体に装着された際に当該カバーの浮き上がりを抑制する部位であり、カバーの固定に際し必要となる部位である。この様な部位が、外部から液体が浸入した際の浸入経路を形成してしまい、前記接続端子に液体が付着して前記接続端子を劣化させる虞がある。
【課題を解決するための手段】
【０００５】
上記課題を解決するための、本発明の記録装置は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、前記接続端子を覆う、前記筐体の一部を構成する覆い部と、前記バッテリーが未装着の状態において前記凹部における前記覆い部を除く領域を覆うカバーと、を備え、前記カバーと前記筐体とが、前記凹部の深さ方向において重なる部位は、前記カバーと前記覆い部とが対向する部位から液体が浸入した際に前記液体が前記接続端子に向かう経路外に位置することを特徴とする。
【図面の簡単な説明】
【０００６】
【図１】第２バッテリー装着状態のプリンターを前方から見た斜視図。
【図２】第２バッテリー装着状態のプリンターを後方から見た斜視図。
【図３】第２バッテリー装着状態のプリンターをプリンターの、カバー部材を開いた    状態を示す斜視図。
【図４】プリンターの媒体搬送経路を示す概略側断面図。
【図５】第２バッテリー及びカバー非装着状態のプリンターを後方から見た斜視図。
【図６】図５の要部拡大斜視図。
【図７】第２バッテリーの外観斜視図。
【図８】第２バッテリーの装着過程を示す斜視図。
【図９】カバー装着状態のプリンターを後方から見た斜視図。
【図１０】カバーの平面図。
【図１１】カバーの表側の部分斜視図。
【図１２】カバーの裏側の部分斜視図。
【図１３】カバー装着状態のプリンター背面の要部拡大図。
【図１４】図１３のＡ−Ａ断面図。
【図１５】図１４の他の実施形態を示す断面図。
【図１６】図１４の他の実施形態を示す断面図。
【図１７】図１３の他の実施形態を示す断面図。
【図１８】バッテリー、及びバッテリー装着部の断面図。
【図１９】他の実施形態に係るバッテリーの部分拡大斜視図。
【図２０】他の実施形態に係るバッテリー、及びバッテリー装着部の断面図。
【図２１】他の実施形態に係るバッテリー、及びバッテリー装着部の断面図。
【図２２】他の実施形態に係るバッテリーの部分拡大斜視図。
【図２３】他の実施形態に係るバッテリー、及びバッテリー装着部の正面図。
【発明を実施するための形態】
【０００７】
以下、本発明を概略的に説明する。  
第１の態様に係る記録装置は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、前記接続端子を覆う、前記筐体の一部を構成する覆い部と、を備えるとともに、前記バッテリーが未装着の状態において前記バッテリー装着部における前記覆い部を除く領域を覆うカバーが着脱可能であり、前記カバーと前記筐体とが、前記凹部の深さ方向において重なる部位は、前記カバーと前記覆い部とが対向する部位から液体が浸入した際に前記液体が前記接続端子に向かう経路外に位置することを特徴とする。
【０００８】
本態様によれば、前記カバーと前記筐体とが、前記凹部の深さ方向において重なる部位は、前記カバーと前記覆い部とが対向する部位から液体が浸入した際に前記液体が前記接続端子に向かう経路外に位置するので、前記カバーと前記覆い部とが対向する部位つまり前記カバーと前記覆い部との繋ぎ目から液体が浸入しても、この液体が前記接続端子に向かって真っ直ぐに進むことを抑制できる。
【０００９】
第２の態様は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、前記接続端子を覆う、前記筐体の一部を構成する覆い部と、を備えるとともに、前記バッテリーが未装着の状態において前記バッテリー装着部における前記覆い部を除く領域を覆うカバーが着脱可能であり、前記カバーと前記筐体とは、前記カバーと前記覆い部とが対向する部位から液体が浸入した際に前記液体が前記接続端子に向かう経路で、前記凹部の深さ方向において重なる部位を有し、前記重なる部位には、前記液体が入り込む溝部が形成されていることを特徴とする。
【００１０】
本態様によれば、前記カバーと前記筐体とは、前記カバーと前記覆い部とが対向する部位から液体が浸入した際に前記液体が前記接続端子に向かう経路で、前記凹部の深さ方向において重なる部位を有し、前記重なる部位には、前記液体が入り込む溝部が形成されているので、前記カバーと前記覆い部とが対向する部位つまり前記カバーと前記覆い部との繋ぎ目から液体が浸入しても、この液体が前記接続端子に向かって真っ直ぐに進むことを抑制できる。
【００１１】
第３の態様は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、前記接続端子を覆う、前記筐体の一部を構成する覆い部と、を備えるとともに、前記バッテリーが未装着の状態において前記バッテリー装着部における前記覆い部を除く領域を覆うカバーが着脱可能であり、前記カバーと前記筐体とは、前記カバーと前記覆い部とが対向する部位から液体が浸入した際に前記液体が前記接続端子に向かう経路で、前記凹部の深さ方向において重なる部位を有し、前記重なる部位には、前記液体を吸収する液体吸収材が設けられていることを特徴とする。
【００１２】
本態様によれば、前記カバーと前記筐体とは、前記カバーと前記覆い部とが対向する部位から液体が浸入した際に前記液体が前記接続端子に向かう経路で、前記凹部の深さ方向において重なる部位を有し、前記重なる部位には、前記液体を吸収する液体吸収材が設けられている前記カバーと前記覆い部とが対向する部位つまり前記カバーと前記覆い部との繋ぎ目から液体が浸入しても、この液体が前記接続端子に向かって真っ直ぐに進むことを抑制できる。
【００１３】
第４の態様は、第１から第３の態様のいずれかにおいて、前記覆い部は、前記接続端子の先端部よりも、前記接続端子の延びる方向に延設されていることを特徴とする。  
本態様によれば、前記覆い部は、前記接続端子の先端部よりも、前記接続端子の延びる方向に延設されているので、前記カバーと前記覆い部とが対向する部位つまり前記カバーと前記覆い部との繋ぎ目から液体が浸入した際の、当該液体の前記接続端子への到達を抑制することができる。
【００１４】
第５の態様は、第１から第４の態様のいずれかにおいて、前記カバーの周縁には切り欠き部が形成され、前記切り欠き部は、前記カバーの周縁において前記覆い部と対向する部位から外れた位置に形成されていることを特徴とする。
【００１５】
本態様によれば、前記カバーの周縁には切り欠き部が形成されているので、前記切り欠き部に手指を掛けることで、前記カバーを前記筐体から容易に取り外すことができる。ここでこの様な切り欠き部は、前記凹部内への液体の浸入を許容してしまうが、前記切り欠き部は、前記カバーの周縁において前記覆い部と対向する部位から外れた位置に形成されているので、前記切り欠き部から液体が浸入しても、当該液体の前記接続端子への到達を抑制することができる。
【００１６】
第６の態様は、第５の態様において、前記カバーの裏面には、前記切り欠き部から前記凹部への異物の入り込みを規制する規制壁が設けられていることを特徴とする。  
本態様によれば、前記カバーの裏面には、前記切り欠き部から前記凹部への異物の入り込みを規制する規制壁が設けられているので、当該規制壁により、前記切り欠き部から前記凹部への異物の入り込みを規制することができる。
【００１７】
第７の態様に係る記録装置は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、を備え、前記バッテリーは、前記接続端子と接続する充電端子と、前記筐体と当接することにより、前記接続端子と前記充電端子との成す角度を規制する角度規制部と、を備えることを特徴とする。
【００１８】
前記バッテリーを前記バッテリー装着部に装着する際、前記接続端子と前記充電端子との成す角度が大きくなると、前記接続端子と前記充電端子との接続が不良となる虞があるが、本態様によれば前記バッテリーは、前記筐体と当接することにより、前記接続端子と前記充電端子との成す角度を規制する角度規制部を備えるので、前記接続端子と前記充電端子とが接続する際の、前記接続端子と前記充電端子との成す角度が大きくなることを抑制でき、前記接続端子と前記充電端子とを適切に接続することができる。
【００１９】
第８の態様は、第７の態様において、前記角度規制部は、前記筐体の外面に当接する突起部で構成されることを特徴とする。
【００２０】
第９の態様は、第７の態様において、前記角度規制部は、前記バッテリー装着部において前記バッテリーのスライド方向に延びる当接面に当接する突起部で構成されることを特徴とする。
【００２１】
第１０の態様に係る記録装置は、媒体に記録を行う記録部を内部に備える筐体と、前記記録部による媒体への記録に必要な電力を供給するバッテリーを着脱可能な、前記筐体に設けられたバッテリー装着部と、を備え、前記バッテリー装着部は、前記バッテリーの一部が入り込む凹部と、前記凹部内に設けられ、前記バッテリーと電気的に接続可能な接続端子と、を備え、前記バッテリーは、前記接続端子と接続する充電端子を備え、前記バッテリーの一部が前記凹部に入り込んだ状態において、前記接続端子と前記充電端子とが正対することを特徴とする。
【００２２】
前記バッテリーを前記バッテリー装着部に装着する際、前記接続端子と前記充電端子との成す角度が大きくなると、前記接続端子と前記充電端子との接続が不良となる虞があるが、本態様によれば前記バッテリーの一部が前記凹部に入り込んだ状態において、前記接続端子と前記充電端子とが正対するので、前記接続端子と前記充電端子とを適切に接続することができる。
【００２３】
以下、本発明を具体的に説明する。  
尚、各図においてＸ軸に沿った方向は装置幅方向である。以下、Ｘ軸に沿った方向、即ち＋Ｘ方向と−Ｘ方向を区別しない場合は「Ｘ軸方向」と称する。  
また、Ｙ軸に沿った方向は装置奥行き方向であり、＋Ｙ方向は装置背面から前面に向かう方向、−Ｙ方向は装置前面から背面に向かう方向となる。以下、Ｙ軸に沿った方向、即ち＋Ｙ方向と−Ｙ方向を区別しない場合は「Ｙ軸方向」と称する。  
またＺ軸に沿った方向は鉛直方向であり、＋Ｚ方向は鉛直上方、−Ｚ方向は鉛直下方となる。以下、Ｚ軸に沿った方向、即ち＋Ｚ方向と−Ｚ方向を区別しない場合は「Ｚ軸方向」と称する。  
本実施形態において装置の周囲を構成する側面のうちバッテリー装着部５０が設けられた側面が装置背面となる。
【００２４】
媒体に記録を行う「記録装置」の一例としてのインクジェットプリンター１は、記録ヘッド１０（図４）等の、媒体に記録を実行するための構成部を内部に備える筐体２を備え、その外観が箱型形状に構成されている。尚、インクジェットプリンターの用語は、以下ではプリンターと略称する。媒体は、一例として記録用紙が挙げられる。
【００２５】
プリンター１は、筐体２に対して回動することにより開閉するカバー部材３を備えている。カバー部材３は、図１に示すように閉じた状態においてプリンター１の上面及び前面の一部を構成する。カバー部材３は、筐体２の装置後方に回動軸（不図示）を有し、筐体２に対して装置後方へ向けて回動させると、図３に示す開いた姿勢となる。カバー部材３が筐体２に対して開いた姿勢にある際、カバー部材３の内面は、媒体Ｐの載置面３ａとして機能する。
【００２６】
また、カバー部材３が図１に示す閉じた姿勢から図３に示す開いた姿勢に変化すると、筐体２の上部には操作部４と、媒体供給部５とが露出し、筐体２の前面には排出部６が露出する。操作部４は、プリンター１を操作するための電源ボタンや印刷設定ボタン、表示パネル等を備えて構成されている。
【００２７】
媒体供給部５は、カバー部材３の載置面３ａに媒体Ｐが載置された際、載置面３ａから筐体２内の記録ヘッド１０による記録領域に向けて媒体Ｐを供給する。また、排出部６は、載置面３ａから媒体供給部５を介して筐体２内に供給された媒体Ｐが、後述する記録ヘッド１０により記録が実行された状態で装置前面に排出されることを許容する。
【００２８】
図４に示すプリンター１において、載置面３ａに載置された媒体Ｐは、媒体供給部５から給送手段８および搬送手段９により記録ヘッド１０の下方に送られる。そして、記録ヘッド１０から液体としてのインクが媒体Ｐに吐出されて、媒体Ｐへの記録が行われるように構成されている。
【００２９】
記録ヘッド１０は、図４において媒体Ｐの搬送方向と交差する幅方向であるＸ軸方向に往復移動するキャリッジ１１に設けられている。記録ヘッド１０は、液体吐出面１０ａに設けられた不図示のノズル列からインクを吐出する。  
キャリッジ１１には、媒体Ｐに記録を行うためのインクを記録ヘッド１０に供給するためのインクカートリッジ１２が搭載されている。
【００３０】
図４に示す記録ヘッド１０の下方には、記録ヘッド１０と対向する記録領域において媒体Ｐを支持する支持部材１３が設けられており、支持部材１３に支持される媒体Ｐに対して記録ヘッド１０の液体吐出面１０ａからインクを吐出することによって記録が実行される。記録後の媒体Ｐは、筐体２の前面に設けられた排出部６（図３も参照）から排出される。
【００３１】
プリンター１は、筐体２内に第１バッテリー１５（図４）を備えており、また、筐体２の外側に第２バッテリー２０（図１、図２）が着脱可能に構成されている。第１バッテリー１５及び第２バッテリー２０は、記録ヘッド１０、給送手段８、搬送手段９等の動作部に給電可能な充電池である。
【００３２】
第２バッテリー２０は筐体２の外側に設けられたバッテリー装着部５０（図５）に対し着脱可能であり、図１に示す装着状態でプリンター１の上記各動作部に給電する。本実施形態においては、バッテリー装着部５０は筐体２の背面に設けられている。バッテリー装着部５０は、凹部１８、接続端子１９、被係合部１４等を備えて構成されているが、これらについては後に詳説する。
【００３３】
図２に示すように、プリンター１の筐体２の＋Ｘ方向の側面２ａには、電源アダプター４０のプラグ４１を接続可能な第１接続部１６が設けられている。電源アダプター４０は、例えば室内の商用電源用コンセント４３に接続されて、商用電源から電力を供給するＡＣアダプターである。電源アダプター４０にはケーブル４２が接続されている。ケーブル４２は一端が電源アダプター４０と接続され、他端には第１接続部１６に挿入されるプラグ４１が設けられている。  
尚、筐体２の側面２ａには、第１接続部１６と隣接してＵＳＢケーブル接続部１７が設けられている。
【００３４】
第１接続部１６にプラグ４１が接続され、電源アダプター４０を介して電力が供給されると、筐体２内の記録ヘッド１０、給送手段８、搬送手段９等の動作部が駆動可能になる。  
またプリンター１は、電源アダプター４０のプラグ４１が第１接続部１６に接続されている場合に、第１バッテリー１５に充電を行う第１充電状態と、第２バッテリー２０に充電を行う第２充電状態と、を切り換え可能に構成されている。つまり、第１接続部１６からの給電により、第１バッテリー１５への充電と、第２バッテリー２０への充電とを行うことができる。
【００３５】
尚、第２バッテリー２０には、プラグ４１を接続可能な第２接続部２１（図７）が設けられている。第２接続部２１も第１接続部１６と同じくＤＣジャックである。即ち第２バッテリー２０を取り外した状態でも、第２バッテリー２０の第２接続部２１（図７）にプラグ４１を接続することで、第２バッテリー２０への充電が可能に構成されている。  
第２バッテリー２０は、図７に示す様に第２バッテリーの充電状況を表示する第２表示手段２３を備えている。第２表示手段２３として例えばＬＥＤランプを用いることができる。第２表示手段２３により、第２バッテリー２０が充電中か充電完了か等を示し、充電状況を容易に視認することができる。  
尚、プリンター１の筐体２に設けられる操作部４（図３）には、第１バッテリー１５と第２バッテリー２０との双方の充電状況を表示可能な第１表示手段４ａが設けられている。  
第１表示手段４ａとしては、例えば液晶パネルを用い、第１バッテリー１５が充電される第１充電状態か、第２バッテリー２０が充電される第２充電状態か、を表示する構成とすることができる。また、第１表示手段４ａにおいて、第１バッテリー１５及び第２バッテリー２０の充電量を表示することができる。
【００３６】
第２バッテリー２０は、図７に示す様にバッテリーケース２０ａと、バッテリーカバー２０ｂと、によって外観が構成されている。バッテリーカバー２０ｂは、バッテリー装着部５０（図５）と対向する対向面２２になる。  
第２バッテリー２０において、バッテリーカバー２０ｂの−Ｘ方向の端部には、筐体２に設けられる接続端子１９（図６）に接続される充電端子３０が設けられている。また、バッテリーカバー２０ｂの＋Ｘ方向の端部には、第２バッテリー２０を筐体２に対する装着状態でロックする為のフック部３１ｂが設けられている。
【００３７】
第２バッテリー２０において充電端子３０が設けられた−Ｘ方向の端部には、二つの凸部２５が設けられている。また、バッテリー装着部５０には図６に示す様に第２バッテリー２０の一部が入り込む凹部１８が設けられ、この凹部１８には二つの受け入れ部４５が形成されている。  
そして第２バッテリー２０を装着する際、図８に示すように第２バッテリー２０の−Ｘ方向端部を凹部１８に差し入れる。このとき、第２バッテリー２０の凸部２５（図７）を、凹部１８の受け入れ部４５（図６）に差し入れる。これにより、第２バッテリー２０の−Ｘ方向端部が凹部１８から外れない様に固定されるとともに、本体側の接続端子１９とバッテリー側の充電端子３０とが電気的に接続される。
【００３８】
第２バッテリー２０の−Ｘ方向端部を凹部１８に差し入れたら、図８に示す様に第２バッテリー２０を矢印Ａ方向に回動させる。  
ここで、第２バッテリー２０の＋Ｘ方向端部にはフック部３１ｂが設けられており、バッテリー装着部５０において＋Ｘ方向端部にはフック部３１ｂが引っ掛かる被係合部１４が形成されている。フック部３１ｂは、不図示のばねによって＋Ｘ方向に押圧されているとともに、解除部３１ａを−Ｘ方向に押し込むことで前記ばねの押圧力に抗して−Ｘ方向に変位できる様に設けられている。
【００３９】
従って第２バッテリー２０の＋Ｘ方向端部を図８に示す様に矢印Ａ方向に回動させると、フック部３１ｂが被係合部１４に引っ掛かり、第２バッテリー２０の＋Ｘ方向端部が固定される。この固定状態を解除するには、解除部３１ａを−Ｘ方向に押し込む。  
以上により、フック部３１ｂと解除部３１ａは、第２バッテリー２０をバッテリー装着部５０にロックするロック手段３１を構成する。
【００４０】
次に、図８以降を参照して、第２バッテリー２０がバッテリー装着部５０に装着されていない状態において、バッテリー装着部５０の全体を覆うカバー６０について説明する。  
第２バッテリー２０が装着されていない状態では、図６から明かな様に凹部１８の接続端子１９が露呈し、異物が付着する虞があるため、図９に示す様にバッテリー装着部５０に対しカバー６０が装着可能に構成されている。
【００４１】
カバー６０は樹脂材料により全体が一体的に形成され、弾性変形可能に構成されている。図９及び図１０に示す様にカバー６０において−Ｘ方向の端部には凹部６３が形成され、＋Ｘ方向の端部には切り欠き部としての凹部６４が形成されている。  
図６に示す様にバッテリー装着部５０には接続端子１９を覆う覆い部５２が筐体２に一体的に形成されており、カバー６０の凹部６３は、覆い部５２の形状及び大きさに対応する様に、即ち覆い部５２を避ける形状及び大きさに形成されている。覆い部５２により、カバー６０が装着されていない状態での、接続端子１９の露呈が最小限に抑制される。尚、本実施形態において覆い部５２は、図１３の位置Ｘ１よりも＋Ｘ方向の部位であり、即ち＋Ｘ方向に突出した部位である。
【００４２】
カバー６０の−Ｘ方向端部には図１０及び図１１に示す様に二つの凸部６１が形成されており、この凸部６１が、本体側の凹部１８に形成された受け入れ部４５（図６）に入り込むことで、カバー６０の−Ｘ方向端部が固定される。即ち、カバー６０に形成された凸部６１は、第２バッテリー２０に形成された凸部２５（図７）に対応する。
【００４３】
また、カバー６０の＋Ｚ方向の縁部及び−Ｚ方向の縁部には、Ｘ軸方向に沿って突起６２が形成されており、この突起６２が、バッテリー装着部に形成された不図示の受け入れ部に入り込むことで、カバー６０の−Ｙ方向への浮き上がりが規制される。  
カバー６０の＋Ｘ方向端部に形成された凹部６４は、カバー６０が装着された状態で、図８に示す様に手指を差し入れる開口を形成する。  
カバー６０のバッテリー装着部５０への取り付けは、図８を参照しつつ説明した第２バッテリー２０の取り付けと同様に行う。即ち、カバー６０の−Ｘ方向端部に形成された凸部６１を、本体側の凹部１８に形成された受け入れ部４５（図６）に入り込ませ、その後に、カバー６０の全体を図８の矢印Ａ方向に押し込む。これにより、カバー６０の全体的な弾性変形を伴って、突起６２が不図示の受け入れ部に入り込み、カバー６０が取り付け状態となる。
【００４４】
尚、カバー６０において＋Ｘ方向端部の裏面には、図１２に示す様に規制壁６５が形成されており、この規制壁６５により、凹部６４から凹部１８（図６）への異物の入り込みが規制される。
【００４５】
続いて、カバー６０の−Ｘ方向端部に形成された凹部６３と、バッテリー装着部５０の凹部１８に形成された覆い部５２との関係について図１３及び図１４を参照しつつ説明する。  
バッテリー装着部５０にカバー６０が取り付けられた状態で、カバー６０が設けられた面即ちプリンター１の背面を下にして、プリンター１が机等に載置された場合、カバー６０と筐体２の繋ぎ目から液体が凹部１８内に浸入する虞がある。特に、カバー６０の凹部６３と覆い部５２との繋ぎ目から液体が浸入すると、接続端子１９に液体が付着し、接続端子１９を劣化させる虞がある。
【００４６】
特に、カバー６０と覆い部５２とが凹部１８の深さ方向（Ｙ方向）で重なる部位があると、その様な部位が液体の浸入経路を形成してしまい、接続端子１９に液体が付着し易くなる。しかしながらこの様な重なる部位は、カバー６０がバッテリー装着部５０に取り付けられた際、カバー６０の−Ｙ方向への浮き上がりを規制する為に必要な部位である。
【００４７】
その様な部位は、具体的には本実施形態では図９を参照しつつ説明した凸部６１や突起６２が相当するが、本実施形態では凸部６１及び突起６２は、覆い部５２の縁部５２ａと、凹部６３の縁部６３ａとが対向する部位から液体が浸入した際にこの液体が接続端子１９に向かう経路（図１３及び図１４において符号Ｓで示す）の外に位置している。従って、カバー６０の縁部６３ａと覆い部５２の縁部５２ａとが対向する部位から液体が浸入しても、この液体が接続端子１９に向かって真っ直ぐに進むことを抑制できる。
【００４８】
尚、本実施形態では、図１３及び図１４に示す様に覆い部５２は、接続端子１９の先端部よりも、接続端子１９の延びる方向（＋Ｘ方向）に延設されているので、カバー６０の縁部６３ａと覆い部５２の縁部５２ａとが対向する部位から液体が浸入した際の、当該液体の接続端子１９への到達を抑制することができる。
【００４９】
また本実施形態では、図９に示す様に切り欠き部としての凹部６４、即ち手指を差し入れる開口を形成する為の凹部６４が、カバー６０の周縁において覆い部５２と対向する部位から外れた位置に形成されているので、凹部６４から液体が浸入しても、当該液体の接続端子１９への到達を抑制することができる。
【００５０】
続いて図１５を参照して他の実施形態について説明する。図１５に示すカバー６０Ａは、覆い部５２ＡとＹ方向で重なる重なり部６７を有しており、この重なり部６７によってカバー６０Ａの−Ｙ方向への浮き上がりが効果的に抑制される。  
この重なり部６７によって、液体の浸入経路が形成され易くなるが、覆い部５２Ａにおいて重なり部６７と対向する部位、つまり覆い部５２Ａとカバー６０Ａとの間の隙間から入り込んだ液体が接続端子１９に向かう経路にはＺ軸方向に延びる溝部６９が、Ｘ軸方向に適宜の間隔で形成されている。尚、溝部６９のＺ軸方向の長さは、例えば覆い部５２ＡのＺ軸方向の長さと同じにすることができる。従ってこの複数の溝部６９に液体が入り込むことで、接続端子１９に向かって液体が真っ直ぐに進むことを抑制できる。
【００５１】
続いて図１６を参照して更に他の実施形態について説明する。図１５に示すカバー６０Ａは、覆い部５２ＢとＹ方向で重なる重なり部６７を有しており、この重なり部６７によってカバー６０Ａの−Ｙ方向への浮き上がりが効果的に抑制される。  
この重なり部６７によって、液体の浸入経路が形成され易くなるが、覆い部５２Ｂにおいて重なり部６７と対向する部位、つまり覆い部５２Ｂとカバー６０Ａとの間の隙間から入り込んだ液体が接続端子１９に向かう経路には液体吸収材７０が設けられている。尚、液体吸収材７０のＺ軸方向の長さは、例えば覆い部５２ＢのＺ軸方向の長さと同じにすることができる。従ってこの液体吸収材７０により、接続端子１９に向かって液体が真っ直ぐに進むことを抑制できる。
【００５２】
続いて図１７を参照して更に他の実施形態について説明する。図１７に示すカバー６０Ｂは、覆い部５２とＹ方向で重なる重なり部６８を有しており、この重なり部６８によってカバー６０Ｂの−Ｙ方向への浮き上がりが効果的に抑制される。重なり部６８は、覆い部５２に対しＺ軸方向の両側で重なる様に形成されている。  
この重なり部６８は、液体が接続端子１９に向かう経路Ｓから外れた位置に設けられており、これによりカバー６０Ｂの縁部６３ａと覆い部５２の縁部５２ａとが対向する部位から液体が浸入しても、この液体が接続端子１９に向かって真っ直ぐに進むことを抑制できる。
【００５３】
続いてバッテリー装着部が備える接続端子１９（図６参照）と、第２バッテリーが備える充電端子３０（図７参照）との成す角度を規制する角度規制部について説明する。  
図１８は、角度規制部を備えない構成での断面を示しており、以下では先ず、角度規制部を備えない構成における技術的課題を説明する。  
上述したように第２バッテリー２０において、−Ｘ方向の端部には、筐体２に設けられる接続端子１９に接続される充電端子３０が設けられている。そして第２バッテリー２０を装着する際、第２バッテリー２０の−Ｘ方向端部を凹部１８に嵌め入れる。第２バッテリー２０において凹部１８が入り込む部位は、符号２０ｄで示されており、以下ではこの部位を凸部２０ｄと称する（図７も参照）。また符号２０ｃは、第２バッテリー２０における−Ｘ方向の側面である。
【００５４】
第２バッテリー２０の凸部２０ｄを凹部１８に嵌め入れる際、図１８に示す様に第２バッテリー２０の姿勢がＸ−Ｙ平面において傾いていると、接続端子１９と充電端子３０とが平行にならず、即ち角度αが大きくなる。そしてこの状態で第２バッテリー２０を−Ｘ方向にスライドさせると、充電端子３０が接続端子１９から外側に外れてしまい、適切に接続されない虞がある。また、各端子を固定している基板の破損を招く虞もある。  
加えて凸部２０ｄの＋Ｘ方向の角部２０ｅが、凹部１８の＋Ｘ方向の縁部１８ａと当接すると、接続端子１９と充電端子３０とが正対できず、適切に接続できない。
【００５５】
そこで図１９以降に示す第２バッテリー２０Ａでは、接続端子１９と充電端子３０との成す角度を規制する角度規制部７１Ａ、７１Ｂを備えている。  
角度規制部７１Ａは、図１９及び図２０に示す様に側面２０ｃにおいて−Ｘ方向に突出する突起部７２で構成される。突起部７２は、本実施形態ではＺ軸方向に間隔を空けて二つ設けられている。  
突起部７２は、図２０に示す様に第２バッテリー２０Ａを装着する際、筐体２の外面に当接することで、接続端子１９と充電端子３０とが接続する際の、第２バッテリー２０Ａの傾きを規制し、ひいては接続端子１９と充電端子３０との成す角度を規制する。これにより、接続端子１９と充電端子３０とを適切に接続することができる。  
尚、本実施形態では突起部７２をＺ軸方向に間隔を空けて二つ配置したが、これに限られず、一つ或いは三つ以上設けても良いし、或いはＺ軸方向に沿って延びる様に形成しても良い。また、突起部７２の−Ｘ方向への突出量が多いほど、第２バッテリー２０Ａの傾きを抑制する効果は大きくなるが、突起部７２の破損のし易さやバッテリー本体の大型化抑制を考慮して突起部７２の突出量を考慮することが好ましい。
【００５６】
次に、角度規制部７１Ｂは、図１９、図２２、図２３に示す様に上述した凸部２５に対しＸ軸方向の反対側に設けられた、＋Ｘ方向の突出する突起部７３で構成される。突起部７３は、図２３に示す様に筐体２に設けられた、Ｘ軸方向つまり第２バッテリー２０Ａのスライド方向に延びる当接面５３に当接することで、接続端子１９と充電端子３０とが接続する際の、Ｘ−Ｚ平面における第２バッテリー２０Ａの傾きを抑制する。これにより、接続端子１９と充電端子３０とを適切に接続することができる。
【００５７】
また第２バッテリー２０Ａでは、凸部２０ｄの＋Ｘ方向の角部が面取りされ、面取り部２０ｆとして形成されている。この面取り部２０ｆにより、図２１に示す様に第２バッテリー２０Ａの凸部２０ｄを凹部１８に嵌め入れた際に、接続端子１９と充電端子３０との間に間隔を形成した状態で、接続端子１９と充電端子３０とが正対することができ、即ち図１８に示す角度αが０°か或いはそれに近くなる。これにより接続端子１９と充電端子３０とを適切に接続することができる。
【００５８】
以上の構成は、プリンターに代表される記録装置に限られず、その他の電子機器、例えばスキャナーに代表される画像読取装置など、外付けバッテリーを備える他の電子機器に対して採用することができる。
【００５９】
また本発明は上記において説明した実施形態に限定されることなく、特許請求の範囲に記載した発明の範囲内で、種々の変形が可能であり、それらも本発明の範囲内に含まれるものであることは言うまでもない。
【符号の説明】
【００６０】
１…インクジェットプリンター、２…筐体、３…カバー部材、３ａ…載置面、４…操作部、５…媒体供給部、６…排出部、８…給送手段、９…搬送手段、１０…記録ヘッド、１０ａ…液体吐出面、１１…キャリッジ、１２…インクカートリッジ、１３…支持部材、１４…被係合部、１５…第１バッテリー、１６…第１接続部、１７…ＵＳＢケーブル接続部、１８…凹部、１８ａ…縁部、１９…接続端子、２０…第２バッテリー、２０ａ…バッテリーケース、２０ｂ…バッテリーカバー、２０ｃ…側面、２０ｄ…凸部、２０ｅ…角部、２０ｆ…面取り部、２１…第２接続部、２２…対向面、２３…第２表示手段、２５…凸部、３０…充電端子、３１…ロック手段、３１ａ…解除部、３１ｂ…フック部、４０…電源アダプター、４１…プラグ、４２…ケーブル、４３…商用電源用コンセント、４５…受け入れ部、５０…バッテリー装着部、５１…凹部、５２…覆い部、５２ａ…縁部、５３…当接面、６０…カバー、６１…凸部、６２…突起、６３…凹部、６３ａ…縁部、６４…凹部、６５…規制壁、６７、６８…重なり部、６９…溝部、７０…液体吸収材、７１Ａ、７１Ｂ…角度規制部、７２…突起部、７３…突起部、Ｐ…媒体
【図１】
2020138533.tif 000003
【図２】
2020138533.tif 000004
【図３】
2020138533.tif 000005
【図４】
2020138533.tif 000006
【図５】
2020138533.tif 000007
【図６】
2020138533.tif 000008
【図７】
2020138533.tif 000009
【図８】
2020138533.tif 000010
【図９】
2020138533.tif 000011
【図１０】
2020138533.tif 000012
【図１１】
2020138533.tif 000013
【図１２】
2020138533.tif 000014
【図１３】
2020138533.tif 000015
【図１４】
2020138533.tif 000016
【図１５】
2020138533.tif 000017
【図１６】
2020138533.tif 000018
【図１７】
2020138533.tif 000019
【図１８】
2020138533.tif 000020
【図１９】
2020138533.tif 000021
【図２０】
2020138533.tif 000022
【図２１】
2020138533.tif 000023
【図２２】
2020138533.tif 000024
【図２３】
2020138533.tif 000025